(57)【要約】【課題】直管型ＬＥＤランプの端部に設けられ、中央部が窪んだソケットを有する蛍光灯器具を含む様々な形態の蛍光灯器具に取り付けること。【解決手段】ハウジングから突出する第１端子５と、ハウジング内への押圧操作を受け付け可能な操作部を有する操作体９と、操作体９への押圧操作に伴って第１端子５と導通状態が切り替えられる第２端子６と、操作体９を押圧操作前の初期状態に復帰させるトーションばね１２とを備え、操作体９は、一対の第１端子５間とは異なる位置に設けられ、操作部の先端部に一対の第１端子５間の中間部側へ突出する突部９１１を設けたことを特徴とする。【選択図】図１
2012209220.tif 000002
【特許請求の範囲】
【請求項１】
開口部を有し、直管型ＬＥＤランプ本体の少なくとも端部に設けられるハウジングと、このハウジングから一方向に突出すると共に灯器具のソケット内の電極と接触可能な一対の第１端子と、前記開口部から前記一方向に突出すると共に前記ハウジング内への押圧操作を受け付け可能な操作部を有する操作体と、この操作体への押圧操作に伴って前記第１端子の少なくとも一方と導通状態が切り替えられる第２端子と、前記操作体を押圧操作前の初期状態に復帰させる弾性部材とを備え、前記操作体は、前記一対の第１端子間とは異なる位置に設けられ、前記操作部の先端部に前記一対の第１端子間の中間部側へ突出する突部を設けたことを特徴とする直管型ＬＥＤランプ用スイッチ装置。
【請求項２】
前記ハウジング内には、前記操作体の押圧操作時に前記操作部が収容される収容部が設けられると共に、前記突部が収納される凹状の収納部が設けられることを特徴とする請求項１記載の直管型ＬＥＤランプ用スイッチ装置。
【請求項３】
前記操作部は、前記第１端子における前記一方向と相反する方向への押圧操作に伴って押圧操作を受け付けると共に、前記一方向を挟む相反する方向の少なくとも一方側からの押圧操作に伴って傾動動作するように構成されており、前記一方向と相反する方向に沿った前記ハウジング内への押圧操作又は傾動動作により、前記操作部の少なくとも一部が前記収容部に収容されると共に、前記突部が前記収納部に収納され、前記第１端子の少なくとも一方と前記第２端子とが導通することを特徴とする請求項２記載の直管型ＬＥＤランプ用スイッチ装置。
【請求項４】
前記収容部と前記収納部とが隣接して設けられ、前記操作部が、前記一方向と相反する方向に沿った前記ハウジング内への押圧操作を受け付けた場合と、前記一方向を挟む相反する方向の少なくとも一方側からの押圧操作に伴って傾動動作した場合とで、前記収納部内の異なる収納位置に前記突部を収納すると共に、両収納位置の間に前記収納部の端部から前記収容部側に延びるリブを設けたことを特徴とする請求項３記載の直管型ＬＥＤランプ用スイッチ装置。
【請求項５】
前記収納部には、前記操作部の突部を前記ハウジングの内側から挿通可能な貫通部が設けられると共に、この貫通部を塞ぐ閉塞部材が設けられていることを特徴とする請求項４記載の直管型ＬＥＤランプ用スイッチ装置。
【請求項６】
前記収容部には、押圧操作に伴って前記操作部が収容される際に前記操作体が案内される案内部が設けられており、前記操作部は、前記一方側からの押圧操作を受け付ける第１被押圧部を備え、前記一方側からの押圧操作に伴って、前記操作体が傾動動作すると共に前記収容部内に押し込まれることを特徴とする請求項３から請求項５のいずれかに記載の直管型ＬＥＤランプ用スイッチ装置。
【請求項７】
前記一対の第１端子の両方の延出方向を含んだ平面と平行な切断面における前記操作部の断面形状が、前記開口部側よりも先端の頂部側が幅狭となるように形成されると共に、前記断面形状の前記頂部を挟んで一方の外形に位置して前記第１被押圧部が設けられており、前記一方側からの押圧操作に伴う前記傾動動作が、前記一対の第１端子の延出方向を含んだ平面に沿って移動するものであることを特徴とする請求項６記載の直管型ＬＥＤランプ用スイッチ装置。
【請求項８】
前記操作体には、前記切断面と交差する方向に突出する突出部が設けられており、初期状態において、前記突出部が前記収容部に設けられた支持部に支持されることを特徴とする請求項７記載の直管型ＬＥＤランプ用スイッチ装置。
【請求項９】
前記操作体は、前記第１端子における前記一方向を挟んで前記一方側と相反する他方側からの押圧操作を受け付ける第２被押圧部を備え、前記他方側からの押圧操作に伴って、前記操作体が傾動動作すると共に前記収容部内に押し込まれ、前記第１被押圧部及び第２被押圧部は、前記開口部が形成された前記ハウジングの一面に対して、それぞれ９０度未満の角度を有する第１傾斜部及び第２傾斜部を有し、前記一方側又は他方側からの押圧操作に伴う前記傾動動作によって前記第１傾斜部と前記第２傾斜部のいずれか一方の傾斜部が前記収容部の前記案内部に当接した状態において、他方の傾斜部が前記開口部から突出していることを特徴とする請求項６から請求項８のいずれかに記載の直管型ＬＥＤランプ用スイッチ装置。
【請求項１０】
前記一対の第１端子の両方の延出方向を含んだ平面を挟んだ前記ハウジング内における一方の領域に前記操作部が収容される前記収容部が設けられると共に、他方の領域に前記第１端子と前記第２端子との導通状態を切り替える可動接点が設けられていることを特徴とする請求項２から請求項９のいずれかに記載の直管型ＬＥＤランプ用スイッチ装置。
【請求項１１】
前記可動接点は、前記第１端子及び第２端子とは別部材で構成されると共に、前記第１端子の少なくとも一方に導通して設けられた第１接点部及び前記第２端子に導通して設けられた第２接点部と対向して配置されており、前記操作体への押圧操作に伴って、前記可動接点が前記第１接点部及び第２接点部に当接することを特徴とする請求項１０記載の直管型ＬＥＤランプ用スイッチ装置。
【請求項１２】
前記操作体には、前記操作部の先端と対向する位置に凹部が設けられており、一端部が前記凹部に配置されると共に、他端部が前記可動接点を駆動するシーソー動作可能な駆動部材が、前記一対の第１端子間を通るように配設され、前記弾性部材により前記駆動部材の一端側が前記凹部側に付勢されていることを特徴とする請求項１０又は請求項１１記載の直管型ＬＥＤランプ用スイッチ装置。
【請求項１３】
前記第２端子及び可動接点が前記一対の第１端子に対応してそれぞれ一対設けられ、それぞれの前記第１端子と前記第２端子とが対応する前記可動接点を介して導通状態が切り替えられることを特徴とする請求項１０から請求項１２のいずれかに記載の直管型ＬＥＤランプ用スイッチ装置。
【発明の詳細な説明】
【技術分野】
【０００１】
本発明は、直管型ＬＥＤランプに用いられ、蛍光灯器具のソケットに装着される直管型ＬＥＤランプ用スイッチ装置に関する。
【背景技術】
【０００２】
近年、光源にＬＥＤ（Ｌｉｇｈｔ  Ｅｍｉｔｔｉｎｇ  Ｄｉｏｄｅ：発光ダイオード）を用いるＬＥＤランプが普及している。ＬＥＤランプにおいては、従来型の照明器具と比べ、消費電力や二酸化炭素の排出量を大幅に低減できると共に、製品寿命も大幅に拡大できる。このようなＬＥＤランプにおいて、現在、従来型の蛍光灯を代替する照明器具として直管型ＬＥＤランプが注目されている。
【０００３】
このような直管型ＬＥＤランプにおいて、両端に配置された口金に、弾性付勢されたスイッチピンを外側に向けて突出させておき、蛍光灯器具に対する取り付け作業に応じて押し込まれたスイッチピンの一部でＬＥＤへの通電を切り替えるものが提案されている（例えば、特許文献１参照）。この直管型ＬＥＤランプにおいては、蛍光灯器具に対する直管型ＬＥＤランプの取り付け、或いは、蛍光灯器具からの直管型ＬＥＤランプの取り外し時に作業者に電流が流れる事態を防止でき、当該作業時における安全性を確保することができる。
【先行技術文献】
【特許文献】
【０００４】
【特許文献１】特開２０１０−１９２２２９号公報
【発明の概要】
【発明が解決しようとする課題】
【０００５】
上述した特許文献１に記載の直管型ＬＥＤランプにおいては、その端部の中央に弾性付勢されたスイッチピンが外側に向けて突出して設けられていることから、例えば、中央部が窪んだソケットを有する蛍光灯器具には対応することができない。すなわち、中央部が窪んだソケットを有する蛍光灯器具においては、スイッチピンを内側に適切に押し込むことができず、ＬＥＤへの通電を切り替えることが困難なためである。蛍光灯器具には、直管型蛍光灯の一端側の端子を一方のソケットに差し込んだ後、他端側の端子を他方のソケットに差し込む形態のものや、両方の端子を同時にソケットに装着する形態のものが知られている。一般に、前者の蛍光灯器具においてはソケットの中央部に窪みが設けられていないのに対し、後者の蛍光灯器具においては直管型蛍光灯の口金を通過させるためにソケットの中央部に窪みが設けられている。このため、特許文献１に記載の直管型ＬＥＤランプにおいては、前者の蛍光灯器具に装着できるものの、後者の蛍光灯器具には装着することができない。
【０００６】
本発明はこのような実情に鑑みてなされたものであり、直管型ＬＥＤランプの端部に設けられ、中央部が窪んだソケットを有する蛍光灯器具を含む様々な形態の蛍光灯器具に取り付けることができる直管型ＬＥＤランプ用スイッチ装置を提供することを目的とする。
【課題を解決するための手段】
【０００７】
本発明の直管型ＬＥＤランプ用スイッチ装置は、開口部を有し、直管型ＬＥＤランプ本体の少なくとも端部に設けられるハウジングと、このハウジングから一方向に突出すると共に灯器具のソケット内の電極と接触可能な一対の第１端子と、前記開口部から前記一方向に突出すると共に前記ハウジング内への押圧操作を受け付け可能な操作部を有する操作体と、この操作体への押圧操作に伴って前記第１端子の少なくとも一方と導通状態が切り替えられる第２端子と、前記操作体を押圧操作前の初期状態に復帰させる弾性部材とを備え、前記操作体は、前記一対の第１端子間とは異なる位置に設けられ、前記操作部の先端部に前記一対の第１端子間の中間部側へ突出する突部を設けたことを特徴とする。
【０００８】
この構成によれば、操作体が一対の第１端子間とは異なる位置に設けられているので、中央部が窪んでいるソケットを有する蛍光灯器具に取り付けられる場合においても、操作体がソケットの窪み部に入り込む事態が発生しないので、このような蛍光灯器具に取り付けることができる。このため、一端側の端子を一方のソケットに差し込んだ後、他端側の端子を他方のソケットに差し込む形態の蛍光灯器具や、両方の端子を同時にソケットに装着する形態の蛍光灯器具のいずれにも装着できる。さらに、一対の第１端子間の中間部側へ突出する突部を操作部の先端部に設けているので、上述した中央部が窪んでいるソケットを有する蛍光灯器具以外の様々な形態のソケットを有する蛍光灯器具にも装着できる。上述した中央部が窪んでいるソケットを有する蛍光灯器具以外の蛍光灯器具には、例えば、本スイッチ装置の取り付け面が概して小判形状に突出した形態のソケットを有する蛍光灯器具が含まれる。
【０００９】
上記直管型ＬＥＤランプ用スイッチ装置において、前記ハウジング内には、前記操作体の押圧操作時に前記操作部が収容される収容部が設けられると共に、前記突部が収納される凹状の収納部が設けられる。この場合には、蛍光灯器具に対する直管型ＬＥＤランプの装着時に、操作部の突部がハウジングの収納部に収納されるので、突部が蛍光灯器具のソケットと本スイッチ装置のハウジングとの間に挟まることを防止でき、適切に直管型ＬＥＤランプを蛍光灯器具に装着することができる。
【００１０】
上記直管型ＬＥＤランプ用スイッチ装置において、前記操作部は、前記第１端子における前記一方向と相反する方向への押圧操作に伴って押圧操作を受け付けると共に、前記一方向を挟む相反する方向の少なくとも一方側からの押圧操作に伴って傾動動作するように構成されており、前記一方向と相反する方向に沿った前記ハウジング内への押圧操作又は傾動動作により、前記操作部の少なくとも一部が前記収容部に収容されると共に、前記突部が前記収納部に収納され、前記第１端子の少なくとも一方と前記第２端子とが導通する。この場合、操作部は、第１端子の突出方向と相反する方向への押圧操作だけでなく、第１端子の突出方向を挟む相反する方向の少なくとも一方側からの押圧操作に伴って第１端子と第２端子とを導通状態に切り替えることができるので、両方の端子を同時にソケットに装着する形態の蛍光灯器具への取付作業の作業効率を改善できる。なお、操作部に設けられた突部は、収納部に収納されるので、突部が取付作業に影響を与えることはない。
【００１１】
上記直管型ＬＥＤランプ用スイッチ装置において、前記収容部と前記収納部とが隣接して設けられ、前記操作部が、前記一方向と相反する方向に沿った前記ハウジング内への押圧操作を受け付けた場合と、前記一方向を挟む相反する方向の少なくとも一方側からの押圧操作に伴って傾動動作した場合とで、前記収納部内の異なる収納位置に前記突部を収納すると共に、両収納位置の間に前記収納部の端部から前記収容部側に延びるリブを設けることが考えられる。この場合には、収納部内の異なる収納位置の間にリブを設けたことから、突部の収納位置を定めることができるので、操作体を安定して保持できる。また、収納部に設けたリブの端部で操作体の移動を規制できるので、操作体が板状のものであっても安定して保持できる。
【００１２】
上記直管型ＬＥＤランプ用スイッチ装置において、前記収納部には、前記操作部の突部を前記ハウジングの内側から挿通可能な貫通部が設けられると共に、この貫通部を塞ぐ閉塞部材が設けられている。この場合には、操作部の突部を挿通させるための貫通部がハウジングの収納部に設けられているので、スイッチ装置を組み立てる際の作業効率を改善できる。また、収納部に設けた貫通部が閉塞部材によって塞がれるので、ハウジング内部に異物が浸入し難くでき、信頼性を保つことができる。
【００１３】
上記直管型ＬＥＤランプ用スイッチ装置において、前記収容部には、押圧操作に伴って前記操作部が収容される際に前記操作体が案内される案内部が設けられており、前記操作部は、前記一方側からの押圧操作を受け付ける第１被押圧部とを備え、前記一方側からの押圧操作に伴って、前記操作体が傾動動作すると共に前記収容部内に押し込まれる。この場合には、操作部に、一方側からの押圧操作を受け付ける第１被押圧部を設けたことから、簡単な構成で一方側からの押圧操作に応じて、操作体を傾動動作させると共に収容部内に押し込むことが可能となる。また、収容部に操作体を案内する案内部を設けたことから、押圧操作に伴って円滑に操作部を収容部に収容させることが可能となる。
【００１４】
上記直管型ＬＥＤランプ用スイッチ装置においては、前記一対の第１端子の両方の延出方向を含んだ平面と平行な切断面における前記操作部の断面形状が、前記開口部側よりも先端の頂部側が幅狭となるように形成されると共に、前記断面形状の前記頂部を挟んで一方の外形に位置して前記第１被押圧部が設けられており、前記一方側からの押圧操作に伴う前記傾動動作が、前記一対の第１端子の延出方向を含んだ平面に沿って移動するものである。この場合には、操作部が一対の第１端子の延出方向を含んだ平面に沿って移動することから、両方の端子を同時にソケットに装着する形態の蛍光灯器具に対して容易に直管型ＬＥＤランプを取り付けることが可能となる。
【００１５】
上記直管型ＬＥＤランプ用スイッチ装置において、前記操作体には、前記切断面と交差する方向に突出する突出部が設けられており、初期状態において、前記突出部が前記収容部に設けられた支持部に支持される。この場合には、突出部が弾性部材の付勢力によって支持部に受け止められているので、操作体のガタツキを抑制すると共に、突出部がストッパとなって操作体が開口部から脱落するのを防止することが可能となる。
【００１６】
上記直管型ＬＥＤランプ用スイッチ装置において、前記操作体は、前記第１端子における前記一方向を挟んで前記一方側と相反する他方側からの押圧操作を受け付ける第２被押圧部を備え、前記他方側からの押圧操作に伴って、前記操作体が傾動動作すると共に前記収容部内に押し込まれ、前記第１被押圧部及び第２被押圧部は、前記開口部が形成された前記ハウジングの一面に対して、それぞれ９０度未満の角度を有する第１傾斜部及び第２傾斜部を有し、前記一方側又は他方側からの押圧操作に伴う前記傾動動作によって前記第１傾斜部と前記第２傾斜部のいずれか一方の傾斜部が前記収容部の前記案内部に当接した状態において、他方の傾斜部が前記開口部から突出している。この場合には、操作体は、一方側と他方側の両側からの押圧操作に伴って傾動動作することから、蛍光灯器具に対して取り付ける方向の制限をなくすことができるので、蛍光灯器具に対する直管型ＬＥＤランプの取り付け作業を容易に行うことが可能となる。また、傾動動作に伴って第１傾斜部と第２傾斜部のいずれか一方の傾斜部が収容部の案内部に当接した場合においても、他方の傾斜部が開口部から突出することから、傾動動作後の押し込み動作を確実に行うことができ、第１端子の少なくとも一方と第２端子との導通を確保することが可能となる。
【００１７】
上記直管型ＬＥＤランプ用スイッチ装置においては、前記一対の第１端子の両方の延出方向を含んだ平面を挟んだ前記ハウジング内における一方の領域に前記操作部が収容される前記収容部が設けられると共に、他方の領域に前記第１端子と前記第２端子との導通状態を切り替える可動接点が設けられている。この場合には、一対の第１端子の両方の延出方向を含んだ平面を挟んで一方の領域に操作部が収容される一方、他方の領域に可動接点が設けられることから、ハウジング内の空間を有効に利用することができるので、各構成部材を無理なくハウジング内に収容すると共に、構成部材を組み込む際の作業効率を向上することが可能となる。
【００１８】
上記直管型ＬＥＤランプ用スイッチ装置において、前記可動接点は、前記第１端子及び第２端子とは別部材で構成されると共に、前記第１端子の少なくとも一方に導通して設けられた第１接点部及び前記第２端子に導通して設けられた第２接点部と対向して配置されており、前記操作体への押圧操作に伴って、前記可動接点が前記第１接点部及び第２接点部に当接する。この場合には、可動接点を、第１端子及び第２端子と別部材で構成することから、両接点部間の絶縁距離を確保することができるので、絶縁性を高めて安全性を向上することが可能となる。
【００１９】
上記直管型ＬＥＤランプ用スイッチ装置において、前記操作体には、前記操作部の先端と対向する位置に凹部が設けられており、一端部が前記凹部に配置されると共に、他端部が前記可動接点を駆動するシーソー動作可能な駆動部材が、前記一対の第１端子間を通るように配設され、前記弾性部材により前記駆動部材の一端側が前記凹部側に付勢されている。この場合には、駆動部材が一対の第１端子間を通るように配設されることから、ハウジング内におけるスペース効率をさらに向上することが可能となる。また、駆動部材がシーソー動作して可動接点を駆動することから、可動接点と第１接点部及び第２接点部との導通状態を安定して切り替えることが可能となる。
【００２０】
上記直管型ＬＥＤランプ用スイッチ装置においては、前記第２端子及び可動接点が前記一対の第１端子に対応してそれぞれ一対設けられ、それぞれの前記第１端子と前記第２端子とが対応する前記可動接点を介して導通状態が切り替えられる。この場合には、第２端子及び可動接点が一対の第１端子に対応してそれぞれ一対設けられることから、例えば、一方の直管型ＬＥＤランプ用スイッチ装置からの給電構造の直管型ＬＥＤランプにも対応することが可能となる。
【発明の効果】
【００２１】
本発明によれば、直管型ＬＥＤランプの端部に設けられ、中央部が窪んだソケットを有する蛍光灯器具を含む様々な形態の蛍光灯器具に取り付けることができる。
【図面の簡単な説明】
【００２２】
【図１】本発明の一実施の形態に係る直管型ＬＥＤランプ用スイッチ装置の全体構成を示す分解斜視図である。
【図２】上記実施の形態に係る直管型ＬＥＤランプ用スイッチ装置の外観斜視図である。
【図３】上記実施の形態に係る直管型ＬＥＤランプ用スイッチ装置が有する外部ケース及び内部ケースの側断面図である。
【図４】上記実施の形態に係る直管型ＬＥＤランプ用スイッチ装置の側断面図である。
【図５】上記実施の形態に係る直管型ＬＥＤランプ用スイッチ装置が有する内部ケース周辺の構成部品を説明するための斜視図である。
【図６】図５に示す状態の内部ケース及びその周辺部品の上面図である。
【図７】上記実施の形態に係る直管型ＬＥＤランプ用スイッチ装置内の構成部品間の位置関係の説明図である。
【図８】上記実施の形態に係る直管型ＬＥＤランプ用スイッチ装置内の構成部品間の位置関係の説明図である。
【図９】上記実施の形態に係る直管型ＬＥＤランプ用スイッチ装置が取り付けられる直管型ＬＥＤランプの外観を示す斜視図である。
【図１０】蛍光灯器具Ａに装着される直前の直管型ＬＥＤランプ用スイッチ装置の状態を示す斜視図である。
【図１１】蛍光灯器具Ａに装着された場合の直管型ＬＥＤランプ用スイッチ装置内の構成部品の状態を示す斜視図である。
【図１２】蛍光灯器具Ａに装着された場合の直管型ＬＥＤランプ用スイッチ装置の外観を示す斜視図である。
【図１３】蛍光灯器具Ｂに装着される直前の直管型ＬＥＤランプ用スイッチ装置の状態を示す斜視図である。
【図１４】蛍光灯器具Ｂに装着された場合の直管型ＬＥＤランプ用スイッチ装置内の構成部品の状態を示す斜視図である。
【図１５】蛍光灯器具Ｂに装着された場合の直管型ＬＥＤランプ用スイッチ装置の外観を示す斜視図である。
【図１６】上記実施の形態に係る直管型ＬＥＤランプ用スイッチ装置が有する操作体の変形例の説明図である。
【発明を実施するための形態】
【００２３】
以下、本発明の一実施の形態について添付図面を参照して詳細に説明する。本発明の一実施の形態に係る直管型ＬＥＤランプ用スイッチ装置（以下、単に「スイッチ装置」という）は、直管型ＬＥＤランプの端部に設けられ、直管型ＬＥＤランプ内に実装される駆動回路（例えば、ＡＣ／ＤＣコンバータ）に対する通電状態を切り替えるものである。特に、このスイッチ装置は、中央部が窪んだソケットを有する蛍光灯器具を含む様々な形態の蛍光灯器具への装着を可能とするものである。具体的には、直管型蛍光灯の一端側の端子を一方のソケットに差し込んだ後、他端側の端子を他方のソケットに差し込む形態の蛍光灯器具（以下、適宜「第１種蛍光灯器具」という）及び両方の端子を同時にソケットに装着する形態の蛍光灯器具（以下、適宜「第２種蛍光灯器具」という）などの蛍光灯器具への装着を可能とするものである。
【００２４】
図１は、本発明の一実施の形態に係るスイッチ装置１の全体構成を示す分解斜視図である。なお、以下においては、説明の便宜上、図１に示す左上方側を「スイッチ装置１の後方側」又は単に「後方側」と呼び、図１に示す右下方側を「スイッチ装置１の前方側」又は単に「前方側」と呼ぶものとする。
【００２５】
図１に示すように、本実施の形態に係るスイッチ装置１は、装置本体のハウジングを構成する外部ケース２、内部ケース３及び絶縁カバー４と、内部ケース３に取り付けられる第１端子５及び第２端子６とを備え、内部ケース３に外部ケース２を組み付けて形成される内部空間に可動接点７、駆動部材８、操作体９及びカム体１０等の構成部品を収容して構成されている。ハウジングを構成する外部ケース２、内部ケース３及び絶縁カバー４、並びに、内部空間に収容される駆動部材８、操作体９及びカム体１０は、例えば、絶縁性の樹脂材料で成型されている。以下、スイッチ装置１が有する各構成部品について説明する。
【００２６】
外部ケース２は、概して下方側に開口した円筒形状に設けられている。外部ケース２の上面には、一対の貫通孔２１ａ、２１ｂが形成されている。これらの貫通孔２１ａ、２１ｂの周辺には円形の凹部２２ａ、２２ｂが形成されている。これらの凹部２２ａ、２２ｂの外径は、貫通孔２１ａ、２１ｂの外径よりも僅かに大きい寸法に設けられている。したがって、凹部２２ａ、２２ｂの内部においては、貫通孔２１ａ、２１ｂの周囲に底壁部が設けられた状態となっている。
【００２７】
また、外部ケース２の上面であって、スイッチ装置１の前方側寄りの位置には長方形状を有する開口部２３が形成されている。開口部２３は、長手方向の辺が、一対の貫通孔２１ａ、２１ｂを通過する平面と平行に配置されるように形成されている。外部ケース２の外周であって、開口部２３の側方の位置には、一対の凹部２４ａ、２４ｂが形成されている。これらの凹部２４ａ、２４ｂは、外部ケース２の中央部分近傍まで形成されている。これらの凹部２４ａ、２４ｂの底面には、貫通孔２５ａ、２５ｂが形成されている（図１において貫通孔２５ｂは不図示）。これらの貫通孔２５ａ、２５ｂは、不図示のねじ等の固着部材によりスイッチ装置１をランプ本体に固定する際に利用される。なお、開口部２３の内側には、後述する収容部２６と、この収容部２６に隣接して配置された収納部２７が設けられている。
【００２８】
内部ケース３は、上面視にて概して円形状に設けられている。内部ケース３の外径は、外部ケース２の内周形状に対応する寸法に設計されている。内部ケース３の中央には、上下方向に延在する一対の壁部３１（３１ａ、３１ｂ）が設けられている。これらの壁部３１ａ、３１ｂは、スイッチ装置１の左右方向に一定距離離間して並設されている。これらの壁部３１ａ、３１ｂより後方側部分には、概して半円弧形状を有する筒状部３２が設けられ、前方側部分には壁部３１の下方側部分から延出して、概して半円弧形状を有する円盤形状部３３が設けられている。
【００２９】
一対の壁部３１の上面には、内側部分に平面部３１１（３１１ａ、３１１ｂ）が設けられ、この平面部３１１の外側に支柱部３１２（３１２ａ、３１２ｂ）が設けられている。平面部３１１の中央近傍には、後述する固定ねじ１１が挿通される挿通孔３１３（３１３ａ、３１３ｂ）が形成されている。また、平面部３１１の支柱部３１２寄りの位置には、第１端子５を構成する保持部５２の一部が挿入されるスリット３１４（３１４ａ、３１４ｂ）が形成されている（図１においてスリット３１４ａは不図示、図６参照）。支柱部３１２の上端部にはテーパ面が形成されており、外部ケース２に内部ケース３を収容する際のガイド部として機能する。
【００３０】
筒状部３２には、上面視にて概して矩形状を有する収容部３２１が設けられている。収容部３２１は、筒状部３２に上下方向に貫通して設けられている。この収容部３２１には、詳細について後述するように、可動接点７及びこれに保持されたカム体１０、並びに、駆動部材８の一部が収容される。収容部３２１を規定する内壁面の四隅部には、概して直方体形状の支持部３２２ａ〜３２２ｄが設けられている（図１において支持部３２２ｂ以外は不図示、図６参照）。これらの支持部３２２ａ〜３２２ｄの下面には、概して半円弧形状の図示しない凹部が形成されている。これらの凹部は、後述するカム体１０の軸部１０１２を下方側から収容可能な寸法に構成されている。
【００３１】
また、収容部３２１を規定する内壁面のうち、対向する一対の内壁面の上端部には、所定深さの凹部３２３が設けられている。これらの凹部３２３は、外部ケース２の上面部の裏面に設けられた図示しないリブを収容する位置に設けられている。凹部３２３に収容されたリブは、内部ケース３に取り付けられた第１端子５と第２端子６とを絶縁する役割を果たすものである。さらに、これらの凹部３２３の近傍には、スリット３２４が形成されている。このスリット３２４には、後述する保持部５２の一部が挿入される。
【００３２】
一対の壁部３１の間には、一対の支持壁部３４（３４ａ、３４ｂ）が配設されている。これらの支持壁部３４は、円盤形状部３３の上面から立設され、互いに一定距離離間して配置されている。支持壁部３４は、壁部３１の上面と略同一位置まで延出し、その上端部後方には、概して半円弧形状の凹部３４１が形成されている。これらの凹部３４１は、後述する駆動部材８の軸部８２１を収容すると共に、この軸部８２１を回動可能に支持する。これらの一対の支持壁部３４ａ、３４ｂは、それぞれ一対の壁部３１ａ、３１ｂの内側部分から僅かにギャップを挟んで配置されている。これらのギャップには、第１端子５及び第２端子６の一部が配置される。
【００３３】
円盤形状部３３の上面であって、一対の支持壁部３４の間に配置された位置には、後述するトーションばね１２が配置されるばね配置部３３１が設けられている。このばね配置部３３１の上面には、トーションばね１２の腕部１２２ａを係止するための係止部３３２が突出して設けられている。また、円盤形状部３３の所定位置には、一対の貫通孔３３３（３３３ａ、３３３ｂ）が形成されている。これらの貫通孔３３３ａ、３３３ｂは、不図示のねじ等の固着部材によりスイッチ装置１をランプ本体に固定する際に利用される。
【００３４】
絶縁カバー４は、概して長方形状の底面部４１と、この底面部４１の上面中央に設けられた挿入部４２と、底面部４１の対向する一対の端部から上方側に延出して設けられた固定部４３とを有している。挿入部４２は、内部ケース３の筒状部３２に形成された収容部３２１の内壁に対応する外形を有し、収容部３２１内を蓋閉する役割を果たす。このように絶縁カバー４で収容部３２１を蓋閉することにより、収容部３２１内に収容される可動接点７等に対する確実な絶縁を確保している。
【００３５】
挿入部４２の対向する一対の端部近傍には、それぞれ上方に突出する一対の支持片４２１ａ、４２１ｂが設けられている。これらの支持片４２１ａ、４２１ｂは、支持部３２２ａ〜３２２ｄの下面の凹部に収容されたカム体１０の軸部１０１２を下方側から支持する。固定部４３は、絶縁カバー４を内部ケース３に固定する部分である。各固定部４３は、それぞれ屈曲した形状を有し、屈曲部より上方側の部分の中央に開口部４３１が形成されている。これらの開口部４３１で筒状部３２の外面に設けられた突出片３２５を収容することにより、絶縁カバー４が内部ケース３に固定される。
【００３６】
第１端子５は、それぞれ一対の口金ピン部５１（５１ａ、５１ｂ）と、保持部５２（５２ａ、５２ｂ）とを有する。口金ピン部５１は、導電性を有する金属材料に機械加工を施すことにより形成される。口金ピン部５１は、概して円柱形状を有し、中央近傍に鍔状部５１１が設けられている。鍔状部５１１の上方側には円柱形状の接続部５１２が設けられ、その下方側には円筒形状の固定部５１３が設けられている。固定部５１３の外径は、接続部５１２の外径よりも大径に設計されている。固定部５１３の下面には、固定ねじ１１が固定されるねじ溝が設けられている。
【００３７】
保持部５２は、導電性を有する金属板材に打ち抜き加工及び折り曲げ加工を施すことにより形成される。保持部５２は、平面部５２１と、この平面部５２１の後端部から上方側に垂直に折り曲げ形成された垂直面部５２２とを有する。平面部５２１の前方側中央には、円形の開口部５２１ａが形成されている。この開口部５２１ａの側方側には、下方側に延出する一対の腕部５２１ｂが設けられている。垂直面部５２２の側縁部には、後方側に延出する一対の折り曲げ部５２２ａが設けられている。これらの折り曲げ部５２２ａの内側に配置される一方で第１接点部が構成される。この第１接点部は、後述する第２接点部と共に可動接点７が接離される固定接点を構成する。
【００３８】
第２端子６（６ａ、６ｂ）は、導電性を有する金属板材に打ち抜き加工及び折り曲げ加工を施すことにより形成される。第２端子６（６ａ、６ｂ）は、平行に配置される前方端子部６１と後方端子部６２と、これらを連結する連結部６３とを有する。前方端子部６１及び後方端子部６２は、スイッチ装置１の前後方向に延在して配置される。連結部６３は、前方端子部６１及び後方端子部６２と直交して配置される。
【００３９】
前方端子部６１は、連結部６３の下端部であって、その内側部分に設けられている。後方端子部６２は、連結部６３の上端部であって、その外側部分に設けられている。双方の第２端子６ａ、６ｂは、連結部６３における異なる位置に前方端子部６１、後方端子部６２が設けられる点で相違する。前方端子部６１の前端部は、下方側に屈曲した形状を有し、その先端に接続部６１１が設けられている。接続部６１１の下端部は、内部ケース３の下面から露出し、ＬＥＤランプ本体の被接続端子に接続される。後方端子部６２の後端部は、上方側に屈曲した形状を有し、その先端に矩形状部６２１が設けられている。この矩形状部６２１で第２接点部が構成される。
【００４０】
可動接点７（７ａ、７ｂ）は、導電性を有する金属板材に打ち抜き加工及び折り曲げ加工を施すことにより形成される。各可動接点７は、中央部分に設けられた基部７１と、この基部７１の下端部から延出して設けられた保持部７２と、基部７１の上端部から延出して設けられた接点部７３とを有している。基部７１は、内側に突出する円弧形状の突出部を有している。保持部７２は、平板形状を有すると共に、その中央に矩形状の開口部７２１を有し、この開口部７２１で後述するカム体１０の突出片１０１３を保持する。
【００４１】
接点部７３は、第１可動接点部７３１と、第２可動接点部７３２とから構成されている。これらの第１可動接点部７３１と第２可動接点部７３２とは一定距離だけ離間して配置されている。第１可動接点部７３１及び第２可動接点部７３２の上端部近傍には、外側に突出する円弧形状部が設けられている。
【００４２】
駆動部材８は、後方側に設けられた駆動部８１と、この駆動部８１の上面の前端部から斜め上方側に延出するレバー部８２とを有している。駆動部８１は、概して直方体形状を有する。駆動部８１の上面中央には、上方側に延出する板状部８１１が設けられている。板状部８１１が、対向して配置される可動接点７ａ、７ｂの基部７１が互いに接触するのを防止する役割を果たす。
【００４３】
レバー部８２における後端部（駆動部８１との連結部）の近傍には、スイッチ装置１の左右方向に延出する一対の軸部８２１が設けられている。また、レバー部８２における前端部上面には、僅かに突出した被押圧部８２２が設けられている。被押圧部８２２の表面は、概して球面形状を有している。このように被押圧部８２２の表面を球面形状とすることにより、操作体９の押圧動作又は傾動動作に柔軟に対応して駆動部材８を上下移動させることができる。なお、レバー部８２の後方側部分の内部には、トーションばね１２の巻回部１２１を収容する収容空間が設けられている。この収容空間には、巻回部１２１を支持する支持軸部８２３が設けられている（図１に不図示、図４参照）。
【００４４】
駆動部材８の下方側には、弾性部材を構成するトーションばね１２が配置される。トーションばね１２は、巻回部１２１と、この巻回部１２１の両端から延出する一対の腕部１２２ａ、１２２ｂとを有する。一対の腕部１２２ａ、１２２ｂは、巻回部１２１の下端部及び上端部近傍から前方側に略平行に延出して設けられている。
【００４５】
駆動部材８の上方側には、閉塞部材を構成するカバー部材１３が配置される。カバー部材１３は、例えば、絶縁性の樹脂材料で成型される。カバー部材１３は、水平に配置される平面部１３１と、この平面部１３１の端部から垂下して設けられる一対の側面部１３２とから成り、概して下方側に開口した形状を有している。一対の側面部１３２は、内部ケース３の支持壁部３４ａ、３４ｂと同一の長さだけ離間している。平面部１３１の上面には、前方側に突出する封止面部１３３が設けられている。封止面部１３３は、概して正方形状を有する。封止面部１３３は、後述する外部ケース２の収納部２７の開口部２７２を封止する役割を果たし、ハウジング（外部ケース２）の内部に異物が浸入し難くできる。
【００４６】
操作体９は、一対の第１端子５（口金ピン部５１）の両方の延出方向を含んだ平面と平行な切断面における断面形状が、下方側部分よりも上方側部分が幅狭となるように形成されている。例えば、操作体９は、正面視にて概して三角形状を有している。操作体９は、上端部に配置された先端部からなる頂部９１と、この頂部９１に対向する底面部９２と、頂部９１を挟んで一方の外形に位置して設けられた第１被押圧部９３と、頂部９１を挟んで第１被押圧部９３と異なる他方の外形に位置して設けられた第２被押圧部９４とを有している。なお、これらの頂部９１、第１被押圧部９３及び第２被押圧部９４により操作体９の操作部が構成されている。
【００４７】
頂部９１の後面には、後方側に突出する突部９１１が設けられている。突部９１１は、本スイッチ装置１が組み立てられた状態において、一対の第１端子５（口金ピン部５１ａ、５１ｂ）の中間部側へ突出している（図４参照）。突部９１１は、上面が操作体９の頂部９１と同一形状を有しており、その下面が上面部分よりも幅狭の形状を有している（図４参照）。詳細について後述するように、上記形状を有することで、突部９１１は、操作体が傾動動作を行った際に外部ケース２に設けられた収納部２７内に適切に収納される。底面部９２の中央には、凹部９２１が設けられている。凹部９２１は、駆動部材８の被押圧部８２２を収容するために設けられている。操作体９の下端部の前面には、一対の突出部９２２ａ、９２２ｂが設けられている。また、操作体９の下端部の後面には、一対の突出部９２３ａ、９２３ｂが設けられている（図１において突出部９２３ｂは不図示、図７参照）。
【００４８】
カム体１０（１０ａ、１０ｂ）は、上下方向に延在する基部１０１を有している。この基部１０１の上方側部分には、可動接点７（７ａ、７ｂ）を押圧可能な当接部１０１１が設けられている。基部１０１の中央近傍の前面及び後面には、軸部１０１２が設けられている。また、基部１０１の下端部近傍の内側には、可動接点７（７ａ、７ｂ）に形成された開口部７２１に挿通されると共に保持される突出片１０１３が設けられている。この突出片１０１３は、駆動部材８の駆動部８１による押圧を受ける被押圧部として機能する。
【００４９】
図２は、本実施の形態に係るスイッチ装置１の外観斜視図である。図２に示すように、スイッチ装置１においては、外部ケース２の上面から第１端子５（口金ピン部５１ａ、５１ｂ）が突出した状態で固定されている。第１端子５は、凹部２２ａ、２２ｂに鍔状部５１１が収容され、接続部５１２が突出した状態で固定されている。また、スイッチ装置１においては、外部ケース２の開口部２３から一部が露出した状態で操作体９が保持されている。すなわち、操作体９は、一対の第１端子５の間とは異なる位置に設けられている。
【００５０】
押圧操作を受けていない初期状態において、操作体９の第１被押圧部９３及び第２被押圧部９４は、外部ケース２の平面状の上面に対して、それぞれ９０度未満の角度を有する第１傾斜部９３ａ及び第２傾斜部９４ａを有している。このように保持された状態で操作体９は、操作部を構成する頂部９１、第１被押圧部９３及び第２被押圧部９４で押圧操作を受け付け可能に構成されている。ここで、操作体９の保持に寄与する外部ケース２の構成について説明する。
【００５１】
図３は、本実施の形態に係るスイッチ装置１が有する外部ケース２及び内部ケース３の側断面図である。図３Ａにおいては、操作体９の前後方向の中央を通過する断面であって、スイッチ装置１の後方側から前方側を見た場合の断面を示している。図３Ｂにおいては、操作体９の前後方向の中央を通過する断面であって、スイッチ装置１の前方側から後方側を見た場合の断面を示している。図３Ａに示すように、外部ケース２において、開口部２３の内側の前方側部分には、操作体９の一部又は全部を収容可能な収容部２６が設けられている。収容部２６を規定する外部ケース２の内壁面２６ａ、２６ｂは、操作体９が内部側へ移動する際の案内部として機能する。収容部２６の上端部には、支持部を構成する支持壁部２６ｃが設けられている。この支持壁部２６ｃは、図３Ａに示す紙面手前側に僅かに突出して設けられている。支持壁部２６ｃは、操作体９の突出部９２２（９２２ａ、９２２ｂ）と当接して初期位置における操作体９の位置決めに寄与する。駆動部材８を介してトーションばね１２の付勢力を受けた操作体９は、支持壁部２６ｃ及び後述する平面部２７１ａ、２７１ｂの下面により初期位置に保持される。
【００５２】
一方、図３Ｂに示すように、外部ケース２において、開口部２３の内側の後方側部分には、操作体９の突部９１１の一部又は全部を収納可能な収納部２７が設けられている。収納部２７は、開口部２３内で収容部２６の後方側に収容部２６に隣接して設けられている。収納部２７は、開口部２３の内側部分の内壁面（後壁面）から前方側に延出して設けられた一対の平面部２７１ａ、２７１ｂを有している。これらの平面部２７１ａ、２７１ｂは、収納部２７の内底面を構成する。これにより、収納部２７は、外部ケース２の上面に凹状に設けられている。一対の平面部２７１ａ、２７１ｂは、開口部２３の前後方向の中央近傍まで延出し、その先端部で収容部２６の後端を規定する。一対の平面部２７１ａ、２７１ｂの間には、開口部２７２が設けられている。開口部２７２は、概して正方形状に設けられている。この開口部２７２は、スイッチ装置１を組み立てる際に外部ケース２の内側から位置決めされる操作体９の突部９１１を通過させる貫通部を構成する。
【００５３】
平面部２７１ａ、２７１ｂの上面には、それぞれリブ２７３ａ、２７３ｂが設けられている。これらのリブ２７３ａ、２７３ｂは、開口部２３の内壁面（後壁面）から収容部２６に向かって平面部２７１ａ、２７１ｂの上面全体に亘って設けられている（図１参照）。リブ２７３ａ、２７３ｂは、それぞれ平面部２７１ａ、２７１ｂにおける開口部２７２寄りの位置に設けられ、収納部２７を３つの空間に分割する。中央の空間は、操作体９で第１端子５の突出方向と相反する方向への押圧操作を受け付けた場合に突部９１１を収納する空間を形成し、側方の２つの空間は、操作体９の第１被押圧部９３又は第２被押圧部９４で押圧操作を受け付けた場合に突部９１１を収納する空間を形成する。リブ２７３ａ、２７３ｂは、上方側部分が幅狭な形状を有すると共に、その上端部にテーパ部が設けられている。より具体的には、リブ２７３ａ、２７３ｂは、正面視にて概して三角形状を有している。なお、平面部２７１ａ、２７１ｂの下面は、操作体９の突出部９２３（９２３ａ、９２３ｂ）と当接して初期位置における操作体９の位置決めに寄与する。
【００５４】
このように本実施の形態に係るスイッチ装置１においては、外部ケース２の収容部２６の上端部に設けた支持壁部２６ｃ、平面部２７１ａ、２７１ｂによって操作体９を初期位置に保持していることから、外部ケース２から操作体９が脱落するのを防止することができる。また、トーションばね１２の付勢力を利用して操作体９を初期位置に保持していることから、非操作状態における操作体９のガタつきを抑制することができる。
【００５５】
以下、本実施の形態に係るスイッチ装置１の内部構造について説明する。図４は、本実施の形態に係るスイッチ装置１の側断面図である。図４においては、口金ピン部５１ａ、５１ｂの中心を通過する断面を示している。図４に示すように、外部ケース２の内部においては、駆動部材８やトーションばね１２等の構成部品が収容されると共に、第１端子５の保持部５２及び第２端子６が取り付けられた内部ケース３が収容されている。内部ケース３は、外部ケース２に下方側から収容された状態で、貫通孔２１ａ、２１ｂに上方側から挿入された口金ピン部５１ａ、５１ｂに下方側から固定ねじ１１で固定することにより、外部ケース２と一体化されている。
【００５６】
図５は、本実施の形態に係るスイッチ装置１が有する内部ケース３周辺の構成部品を説明するための斜視図である。なお、図５においては、図２に示すスイッチ装置１から外部ケース２を取り外した状態に相当する。なお、図５においては、説明の便宜上、第１端子５の口金ピン部５１ａを省略している。図６は、図５に示す状態の内部ケース３及びその周辺部品の上面図である。
【００５７】
図５及び図６に示すように、内部ケース３には、駆動部材８が配置されている。駆動部材８は、レバー部８２に設けられた軸部８２１が、支持壁部３４（３４ａ、３４ｂ）の凹部３４１に収容された状態で、支持壁部３４（３４ａ、３４ｂ）間の空間に配置されている。凹部３４１内に収容された軸部８２１の上方には、外部ケース２の下面に設けられた図示しない突出片が配置される（図４参照）。駆動部材８の駆動部８１は、筒状部３２の収容部３２１内に収容されている。操作体９の非操作状態において、駆動部材８のレバー部８２は、前端部が上方側に向けて延出した状態となっており、被押圧部８２２が支持壁部３４（３４ａ、３４ｂ）の上端部よりも上方側の位置に配置されている。カバー部材１３は、駆動部材８のレバー部８２の上方側に配置されている。カバー部材１３は、側面部１３２で支持壁部３４（３４ａ、３４ｂ）の上端に載置された状態となっている。上面視にて操作体９の突部９１１は、カバー部材１３の封止面部１３３の上方側に対向する位置に配置されている。
【００５８】
レバー部８２の下方側には、トーションばね１２（図５、図６において不図示）が配設されている。トーションばね１２は、一方の腕部１２２ａが係止部３３２に係止され、他方の腕部１２２ｂがレバー部８２の下面に係止されている。これにより、駆動部材８には、軸部８２１を回動支点として、レバー部８２を上方側に付勢する付勢力が作用している。レバー部８２の被押圧部８２２の上方には、操作体９が配置されている。操作体９は、底面部９２に設けられた凹部９２１で被押圧部８２２を収容した状態で配置されている。駆動部材８に作用するトーションばね１２の付勢力によって、操作体９には常に上方側へ移動する力が作用している。なお、操作体９は、外部ケース２の収容部２６に収容され、その移動範囲が制限されていることから、被押圧部８２２から脱落することはない。
【００５９】
収容部３２１において、駆動部材８の駆動部８１の側方側には、可動接点７及びカム体１０（１０ａ、１０ｂ）が配置されている。カム体１０の軸部１０１２は、支持部３２２ａ〜３２２ｄ（図５において不図示、図６参照）の下面に設けられた凹部に下方側から収容されると共に、絶縁カバー４の支持片４２１ａ、４２１ｂ（図５において不図示、図７参照）で下方側から支持されている。これにより、カム体１０は、収容部３２１の内部において、軸部１０１２を回動支点として一定範囲内で回動可能に構成されている。可動接点７は、保持部７２でカム体１０を保持しており、カム体１０と一体化されている。このため、可動接点７も、カム体１０と同様に、一定範囲内で回動可能に構成されている。
【００６０】
第１端子５の保持部５２（５２ａ、５２ｂ）は、平面部５２１が壁部３１ａ、３１ｂの平面部３１１ａ、３１１ｂ上に配置される。この場合、平面部５２１は、開口部５２１ａが挿通孔３１３（３１３ａ、３１３ｂ）に対応すると共に、外側の腕部５２１ｂがスリット３１４（３１４ａ、３１４ｂ）に挿入されるように配置される。また、保持部５２は、垂直面部５２２が平面部３１１ａ、３１１ｂの後端部から立設された壁部に沿うように配置される。垂直面部５２２に設けられた内側の折り曲げ部５２２ａは、収容部３２１を規定する内壁面に沿うように配置され、外側の折り曲げ部５２２ａは、筒状部３２に形成されたスリット３２４に挿入される。
【００６１】
固定ねじ１１は、内部ケース３の下方側から貫通孔３１３ａ、３１３ｂに挿入され、保持部５２の開口部５２１ａを貫通する。第１端子５の口金ピン部５１は、開口部５２１ａから突出した固定ねじ１１に固定される。固定ねじ１１により固定された状態において、口金ピン部５１の固定部５１３の下面は、保持部５２の上面に接触した状態となる。これにより、口金ピン部５１と保持部５２とが導通状態とされる。
【００６２】
第２端子６は、後方端子部６２が、収容部３２１を規定する内壁面に沿うように配置され、前方端子部６１が、壁部３１（３１ａ、３１ｂ）と支持壁部３４ａ、３４ｂの間のギャップを通過するように配置されている。また、前方端子部６１の前端部は、円盤形状部３３に形成された不図示のスリットを介して円盤形状部３３の下方側に突出した状態となっている。
【００６３】
絶縁カバー４は、図５に示すように、固定部４３に形成された開口部４３１で、筒状部３２の外面に設けられた突出片３２５を収容することで筒状部３２に固定されている。このように固定された状態において、絶縁カバー４の支持片４２１ａ、４２１ｂの上端が、カム体１０の軸部１０１２を下方側から支持する位置に配置された状態となる（図５、図６に不図示、図７参照）。
【００６４】
図５及び図６に示すように、本実施の形態に係るスイッチ装置１においては、操作体９が収容される収容部２６が一対の第１端子５の延出方向を含んだ平面を挟んだ一方の領域に配置され、可動接点７が他方の領域に配置されている。このため、ハウジング（内部ケース３）内の空間を有効に利用することができるので、各構成部材を無理なくハウジング内に収容すると共に、構成部材を組み込む際の作業効率を向上できる。特に、駆動部材８を一対の第１端子５間を通るように配置していることから、ハウジング内におけるスペース効率をさらに向上できる。また、駆動部材８がシーソー動作して可動接点７を駆動することから、可動接点７と第１接点部及び第２接点部との導通状態を安定して切り替えることができる。
【００６５】
次に、駆動部材８と可動接点７との間の位置関係、可動接点７と第１端子５及び第２端子６との位置関係について説明する。図７及び図８は、スイッチ装置１内の構成部品間の位置関係の説明図である。図７においては、スイッチ装置１内の構成部品間の位置関係を後方側から示す斜視図を示している。図８Ａ、図８Ｂにおいては、それぞれスイッチ装置１内の構成部品間の位置関係を示す後面図、側面図を示している。なお、図７及び図８においては、操作体９が非操作状態の場合について示している。また、図８Ｂにおいては、説明の便宜上、第１端子５及び第２端子６を省略している。
【００６６】
操作体９が非操作状態において、駆動部材８は、トーションばね１２の付勢力を受け、後方側に配置される駆動部８１の一端が絶縁カバー４の近傍に配置され、前方側に配置される被押圧部８２２側の他端が上方側に延出した状態となっている（図８Ｂ参照）。この状態において、駆動部８１は、下端部がカム体１０（１０ａ、１０ｂ）の突出片１０１３に当接し、押し下げている。これにより、カム体１０には、軸部１０１２を回動支点として、基部１０１全体を内側（図８Ａに示す矢印方向）に回動させる力が作用している。
【００６７】
可動接点７は、当接部１０１１と共に接点部７３が内側に回動して位置させられ、円弧形状の基部７１の下面部が駆動部８１の上面に載置された状態となっている。このとき、駆動部材８の駆動部８１の上面に設けられた板状部８１１は、双方の可動接点７の基部７１の間に配置され、これらの接触を防止している。第１可動接点部７３１は、第１端子５の折り曲げ部５２２ａで構成される第１接点部と対向して配置されている。第２可動接点部７３２は、第２端子６の矩形状部６２１で構成される第２接点部に対向して配置されている。駆動部８１が突出片１０１３を押し下げている状態において、これらの第１可動接点部７３１、第２可動接点部７３２は、それぞれ第１端子５の第１接点部、第２端子６の第２接点部から離間している。
【００６８】
図７、図８に示すように、本実施の形態に係るスイッチ装置１においては、可動接点７を、第１端子５及び第２端子６と別部材で構成している。これにより、可動接点７の接点部７３と、第１端子５に導通して一体に設けられる第１接点部及び第２端子６に導通して一体に設けられる第２接点部との間の絶縁距離を確保することができるので、絶縁性を高めて安全性を向上することが可能となる。
【００６９】
次に、上記構成を有するスイッチ装置１が取り付けられた直管型ＬＥＤランプを蛍光灯器具（第１種蛍光灯器具及び第２種蛍光灯器具）に対して取り付ける際の動作について説明する。まず、上述した第１種蛍光灯器具にスイッチ装置１が取り付けられた直管型ＬＥＤランプを取り付ける場合の動作について説明する。なお、以下においては、説明の便宜上、直管型ＬＥＤランプの一端に取り付けられるスイッチ装置１を例にして説明するが、直管型ＬＥＤランプの他端に取り付けられるスイッチ装置１についても同様である。
【００７０】
ここで、直管型ＬＥＤランプＬは、図９に示すように、例えば、少なくとも後述する発光面側が透光性を有する絶縁性の樹脂材料で筒状に成型されたランプ本体ＬＡを備えている。スイッチ装置１は、このランプ本体ＬＡの両端部に設けられている。スイッチ装置１は、操作体９が突出する位置が同一位置に配置されるようにランプ本体ＬＡに取り付けられる。ランプ本体ＬＡ内には、図示しない長尺の基板が収納されている。この基板には、図示しない複数のＬＥＤが実装されると共に、これらのＬＥＤに接続される図示しない駆動回路が実装されている。駆動回路は、例えば、スイッチ装置１の第１端子５を介して供給される交流電圧を直流電圧に変換するＡＣ／ＤＣコンバータで構成される。スイッチ装置１を介して蛍光灯器具に取り付けられると、第１端子５を介して印加された交流電圧がＡＣ／ＤＣコンバータにより直流電圧に変換され、ＬＥＤに供給される。ＬＥＤは、このようにＡＣ／ＤＣコンバータから供給される直流電圧により発光する。
【００７１】
なお、直管型ＬＥＤランプＬにおいては、例えば、ランプ本体ＬＡ内に収納される基板の一面に複数のＬＥＤが実装され、他面にＬＥＤ以外の構成部品（例えば、ＡＣ／ＤＣコンバータ）が実装されている。このため、ランプ本体ＬＡの周面においては、基板のＬＥＤが実装された一面に対応する部分が発光面Ｌ１を構成し、ＬＥＤ以外の構成部品が実装された他面に対応する部分が非発光面Ｌ２を構成する。この非発光面Ｌ２に対応するランプ本体ＬＡの内部には、例えば、放熱板などの構成部品が配設される。なお、非発光面Ｌ２側のランプ本体ＬＡを金属材料からなる金属ケースで形成すると共に、発光面Ｌ１側のランプ本体ＬＡを透光性のある樹脂ケースで形成し、金属ケースと樹脂ケースとを一体化させて、筒状のランプ本体ＬＡを構成してもよい。この場合には、金属ケースを放熱板としても利用することができる。
【００７２】
図１０は、第１種蛍光灯器具Ａに装着される直前のスイッチ装置１の状態を示す斜視図である。なお、図１０においては、直管型ＬＥＤランプＬの一部を模式的に示している。第１種蛍光灯器具Ａにおいては、スイッチ装置１が装着されるソケットＡ１を有し、このソケットＡ１の表面（側面）に設けられた円形状の装着面Ａ２に一対の口金ピン挿入孔Ａ３が設けられている。なお、これらの一対の口金ピン挿入孔Ａ３は、孔部を構成する。一対の口金ピン挿入孔Ａ３の奥部には、第１端子５の口金ピン部５１（５１ａ、５１ｂ）と導通される図示しない電極（以下、「内部電極」という）が設けられている。
【００７３】
直管型ＬＥＤランプＬを装着する際には、これらの口金ピン挿入孔Ａ３に対し、スイッチ装置１が有する一対の第１端子５の口金ピン部５１の位置合わせを行った後に挿入し、口金ピン部５１の接続部５１２を内部電極と接続する。スイッチ装置１においては、この挿入動作に伴い、操作体９の頂部９１がソケットＡ１の装着面Ａ２に当接し、外部ケース２（収容部２６）の内部に押圧される。この場合、操作体９は、収容部２６の内壁面２６ａ、２６ｂによって下方側（奥方側）に案内される。このように収容部２６に設けた案内部である内壁面２６ａ、２６ｂで操作体９を案内するようにしていることから、挿入動作に応じた押圧操作に伴って円滑に操作体９を収容部２６に収容させることができる。
【００７４】
図１１は、第１種蛍光灯器具Ａに装着された場合のスイッチ装置１内の構成部品の状態を示す斜視図である。なお、図１１においては、説明の便宜上、図７に示す構成部品のみを示している。操作体９が外部ケース２（収容部２６）の内部に押圧されると、図１１に示すように、操作体９が載置されたレバー部８２の被押圧部８２２が下方側に押し込まれる。これに伴い、駆動部材８においては、レバー部８２がトーションばね１２の付勢力に抗して押し下げられ、軸部８２１を回動支点として回動する。
【００７５】
このような駆動部材８の回動に伴い、駆動部８１は、可動接点７の基部７１（突出部）を押し広げながら上方側へ移動する。この場合、可動接点７は、保持しているカム体１０の軸部１０１２を回動支点として回動する。そして、基部７１が駆動部８１の上面部から側面部に移行した時点で、可動接点７の第１可動接点部７３１及び第２可動接点部７３２は、第１接点部及び第２接点部に接触した状態となる（図１１に示す状態）。基部７１が駆動部８１の側面部に接触している場合、可動接点７は内側への移動が制限される。第１可動接点部７３１及び第２可動接点部７３２が第１接点部及び第２接点部に接触することにより、第１端子５と第２端子６とが導通状態となり、直管型ＬＥＤランプ内に実装された駆動回路（ＡＣ／ＤＣコンバータ）への通電が可能となるオン状態に切り替えられる。
【００７６】
一方、第１種蛍光灯器具Ａからスイッチ装置１が取り外されると、操作体９への押圧操作が解除されることから、駆動部材８においては、トーションばね１２の付勢力に応じてレバー部８２の被押圧部８２２が押し上げられ、軸部８２１を回動支点として回動する。このような駆動部材８の回動に伴い、駆動部８１は、絶縁カバー４近傍まで下方側へ移動する（図７に示す状態）。図７に示す状態に移動する過程において、駆動部８１は、カム体１０の突出片１０１３に当接して押し下げる。突出片１０１３の下方側への移動に伴い、可動接点７は、カム体１０の軸部１０１２を回動支点として回動する。これに伴い、カム体１０の当接部１０１１は、可動接点７の接点部７３を内側に押圧する。駆動部８１の側面部による可動接点７の内側への移動の制限が解除されると、可動接点７が内側に移動可能となる。この可動接点７の移動に伴い、第１可動接点部７３１及び第２可動接点部７３２は、第１接点部及び第２接点部から離間した状態となる。第１可動接点部７３１及び第２可動接点部７３２が第１接点部及び第２接点部から離間することにより、第１端子５と第２端子６とが非導通状態となり、直管型ＬＥＤランプ内に実装された駆動回路への通電が行われないオフ状態に切り替えられる。
【００７７】
また、本実施の形態に係るスイッチ装置１においては、操作体９への押圧操作が解除されると、駆動部材８の初期状態（図７に示す状態）への復帰に伴い、カム体１０の当接部１０１１で接点部７３を内側に戻すように（押圧するように）している。これにより、第１可動接点部７３１及び第２可動接点部７３２を、第１端子５の第１接点部及び第２端子６の第２接点部から確実に離間させることができる。この結果、操作体９に対する押圧操作の状態に応じて第１端子５と第２端子６との導通状態を適切に切り替えることが可能となる。
【００７８】
特に、本実施の形態に係るスイッチ装置１においては、カム体１０を、可動接点７の接点部７３と第１接点部（第１端子５）及び第２接点部（第２端子６）との間に配置し、駆動部材８により突出片１０１３が押圧された状態において、可動接点７の接点部７３を第１接点部及び第２接点部から離間する方向に回動させている。これにより、操作体９の初期位置への復帰に伴い、駆動部材８により突出片１０１３が押圧されると、可動接点７の接点部７３が第１接点部及び第２接点部から離間する方向に押圧されることから、確実に第１端子５と第２端子６とを絶縁状態することが可能となる。
【００７９】
図１２は、第１種蛍光灯器具Ａに装着された場合のスイッチ装置１の外観を示す斜視図である。図１２に示すように、第１種蛍光灯器具Ａに装着された場合、操作体９は、下方側に移動し、外部ケース２内に収容される。操作体９の突部９１１は、収納部２７に収納される。この場合、突部９１１は、収納部２７の中央の空間（より具体的には、リブ２７３ａとリブ２７３ｂとの間に形成された空間）に収納される。突部９１１の下面は、カバー部材１３の封止面部１３３と対向して配置された状態となっている。
【００８０】
次に、上述した第２種蛍光灯器具にスイッチ装置１が取り付けられた直管型ＬＥＤランプを取り付ける場合の動作について説明する。図１３は、第２種蛍光灯器具Ｂに装着される直前のスイッチ装置１の状態を示す斜視図である。第２種蛍光灯器具Ｂにおいては、スイッチ装置１が装着されるソケットＢ１を有し、このソケットＢ１の装着面に上下方向に直線状に形成された第１溝部Ｂ２と、この第１溝部Ｂ２の図１３における下端部近傍に円形状に形成された第２溝部Ｂ３とが形成されている。第２溝部Ｂ３の内部には、第１端子５の口金ピン部５１（５１ａ、５１ｂ）と導通される図示しない電極である被接続端子が設けられている。
【００８１】
直管型ＬＥＤランプＬを装着する際には、第１溝部Ｂ２の延在方向に沿うように、スイッチ装置１が有する一対の第１端子５の口金ピン部５１の接続部５１２の位置合わせを行い、第１溝部Ｂ２に沿って一対の口金ピン部５１（接続部５１２）を挿入する。そして、第１溝部Ｂ２の下端部に下方側の口金ピン部５１を到達させた後、第２溝部Ｂ３に沿ってスイッチ装置１を回転させ、口金ピン部５１の接続部５１２を被接続端子と接続する。スイッチ装置１においては、第１溝部Ｂ２に対する挿入動作に伴い、操作体９の被押圧部９４（被押圧部９３）がソケットＢ１の装着面に当接する。これにより、操作体９は、傾動動作すると共に、外部ケース２（収容部２６）の内部に押し込まれる。この場合、操作体９は、収容部２６の内壁面２６ａ、２６ｂによって下方側（収容部２６の奥側）に案内される。
【００８２】
ここで、本実施の形態におけるスイッチ装置１は、図９や図１３に示すように、操作体９がランプ本体ＬＡの非発光面側（Ｌ２側）の領域に設けられている。そのため、直管型ＬＥＤランプＬ（スイッチ装置１）のソケットＢ１への装着完了後において、操作体９の操作部が第１溝部Ｂ２に入り込むことはない。すなわち、一対の口金ピン部５１を第１溝部Ｂ２に沿って奥まで挿入させた際には、操作体９は図１３Ａにおいて、矢印Ｐ１で示す部分に当接している。そして、第２溝部Ｂ３に沿って直管型ＬＥＤランプＬ（スイッチ装置１）を９０度回転させた装着完了状態では、操作体９は同図における矢印Ｐ２で示す部分でソケットＢ１に当接するものとなっており、押し込まれた操作体９が戻らないように構成されている。
【００８３】
本実施の形態に係るスイッチ装置１においては、操作体９に、第１端子５（口金ピン５１）の突出方向を挟んだ相反する一方側からの押圧操作を受け付ける第１被押圧部９３と、他方側からの押圧操作を受け付ける第２被押圧部９４とを設けていることから、簡単な構成でこれらに対する押圧操作に応じて、操作体９を傾動動作させると共に収容部２６内に押し込むことができる。特に、本実施の形態に係るスイッチ装置１においては、操作体９が一対の第１端子５の突出方向を含んだ平面に沿って移動可能に構成されていることから、第２種蛍光灯器具Ｂに対して容易に直管型ＬＥＤランプＬを取り付けることが可能となっている。
【００８４】
図１４は、第２種蛍光灯器具Ｂに装着された場合のスイッチ装置１内の構成部品の状態を示す斜視図である。なお、図１４においては、説明の便宜上、図７に示す構成部品のみを示している。操作体９が外部ケース２（収容部２６）の内部に押圧されると、図１４に示すように、操作体９が載置されたレバー部８２の被押圧部８２２が下方側に押し込まれる。これに伴い、駆動部材８においては、レバー部８２がトーションばね１２の付勢力に抗して押し下げられ、軸部８２１を回動支点として回動する。
【００８５】
このような駆動部材８の回動に伴い、駆動部８１は、可動接点７の基部７１（突出部）を押し広げながら上方側へ移動する。この場合、可動接点７は、保持しているカム体１０の軸部１０１２を回動支点として回動する。そして、基部７１が駆動部８１の上面部から側面部に移行した時点で、第１可動接点部７３１及び第２可動接点部７３２は、第１接点部及び第２接点部に接触した状態となる（図１４に示す状態）。基部７１が駆動部８１の側面部に接触している場合、可動接点７は内側への移動が制限される。第１可動接点部７３１及び第２可動接点部７３２が第１接点部及び第２接点部に接触することにより、第１端子５と第２端子６とが導通状態となり、直管型ＬＥＤランプ内に実装された駆動回路への通電が可能となるオン状態に切り替えられる。
【００８６】
なお、図１４に示す状態に操作体９が移行する際には、側方からの押圧操作に伴い、操作体９が傾動動作して第１被押圧部９３又は第２被押圧部９４の一方が収容部２６内の案内部である内壁面２６ａ又は内壁面２６ｂに当接した後、その後に収容部２６の内部側へ押し込まれる。このように傾動動作を行った後に収容部２６内へ押し込まれる動作に対応するように、本実施の形態に係るスイッチ装置１においては、傾動動作に伴って第１被押圧部９３（第１傾斜部９３ａ）と第２被押圧部９４（第２傾斜部９４ａ）のいずれか一方の被押圧部（傾斜部）が収容部２６の内壁面２６ａ又は内壁面２６ｂに当接した状態において、他方の被押圧部（傾斜部）が開口部２３から突出するように構成している。これにより、傾動動作後の押し込み動作を確実に行うことができるので、第１端子５と第２端子６との導通を確保することが可能となる。
【００８７】
一方、第２種蛍光灯器具Ｂからスイッチ装置１が取り外されると、操作体９への押圧操作が解除されることから、駆動部材８においては、トーションばね１２の付勢力に応じてレバー部８２の被押圧部８２２が押し上げられ、軸部８２１を回動支点として回動する。このような駆動部材９の回動に伴い、駆動部８１は、絶縁カバー４近傍まで下方側へ移動する（図７に示す状態）。図７に示す状態に移動する過程において、駆動部８１は、カム体１０の突出片１０１３に当接して押し下げる。突出片１０１３の下方側への移動に伴い、可動接点７は、カム体１０の軸部１０１２を回動支点として回動する。これに伴い、カム体１０の当接部１０１１は、可動接点７の接点部７３を内側に押圧する。駆動部８１の側面部による可動接点７の内側への移動の制限が解除されると、可動接点７が内側に移動可能となる。この可動接点７の移動に伴い、第１可動接点部７３１及び第２可動接点部７３２は、第１接点部及び第２接点部から離間した状態となる。第１可動接点部７３１及び第２可動接点部７３２が第１接点部及び第２接点部から離間することにより、第１端子５と第２端子６とが非導通状態となり、直管型ＬＥＤランプ内に実装された駆動回路への通電が行われないオフ状態に切り替えられる。
【００８８】
第２種蛍光灯器具Ｂからスイッチ装置１が取り外す場合においても、駆動部材８の初期状態（図７に示す状態）への復帰に伴い、カム体１０の当接部１０１１で接点部７３を内側に戻すようにしている。したがって、第１端子５と第２端子６との導通状態を確実に非導通状態へと切り替えることが可能となる。
【００８９】
図１５は、第２種蛍光灯器具Ｂに装着された場合のスイッチ装置１の外観を示す斜視図である。図１５に示すように、第２種蛍光灯器具Ｂに装着された場合、操作体９は、図１５に示す奥側（または手前側）に傾動動作を行い、外部ケース２内に収容される。操作体９の突部９１１は、収納部２７に収納される。この場合、突部９１１は、収納部２７の図１５に示す奥側の空間（より具体的には、リブ２７３ｂよりも外側に形成された空間）に収納される。
【００９０】
このように本実施の形態に係るスイッチ装置１においては、一対の第１端子５（口金ピン部５１）の間とは異なる位置に操作体９を設け、この操作体９で外部ケース２内への押圧操作（第１端子５の突出方向と相反する方向の押圧操作、並びに、第１端子５（口金ピン部５１）の突出方向を挟む相反する一方側又は他方側からの押圧操作）を受け付けることから、中央部が窪んでいるソケットを有する蛍光灯器具に取り付けられる場合においても、操作体９がソケットの窪み部に入り込む事態が発生しないので、このような蛍光灯器具に取り付けることができる。このため、一端側の端子を一方のソケットに差し込んだ後、他端側の端子を他方のソケットに差し込む形態の蛍光灯器具（第１種蛍光灯器具）や、両方の端子を同時にソケットに装着する形態の蛍光灯器具（第１種蛍光灯器具）のいずれにも装着できる。
【００９１】
また、本実施の形態に係るスイッチ装置１においては、一対の第１端子５（口金ピン部５１）間の中間部側へ突出する突部９１１を操作体９の先端部に設けているので、上述した中央部が窪んでいるソケットを有する蛍光灯器具以外の様々な形態のソケットを有する蛍光灯器具にも装着できる。ここで、上述した中央部が窪んでいるソケットを有する蛍光灯器具以外の蛍光灯器具には、例えば、本スイッチ装置１の被装着面が概して小判形状に突出した形態のソケットを有する蛍光灯器具（第３種蛍光灯器具）が含まれる。すなわち、第３種蛍光灯器具では、本スイッチ装置１の被装着面が小判形状に突出したソケットを有することから、仮に突部９１１がないと、操作体９がハウジング内部に押圧されない事態が発生し得る。突部９１１を設けることで、ソケットの突出部分に当接させることができるので、操作体９をハウジング内部に退避させることができ、第１端子５と第２端子６との導通状態を切り替えることが可能となる。この結果、本実施の形態に係るスイッチ装置１は、中央部が窪んだソケットを有する蛍光灯器具を含む様々な形態の蛍光灯器具に取り付けることが可能となる。
【００９２】
さらに、本実施の形態に係るスイッチ装置１において、外部ケース２には、操作体９の突部９１１が収納される凹状の収納部２７が設けられている。このため、蛍光灯器具に対する直管型ＬＥＤランプの装着時に、操作体９の突部９１１を収納部２７に収納できるので、突部９１１が蛍光灯器具のソケットとスイッチ装置１の外部ケース２との間に挟まることを防止でき、適切に直管型ＬＥＤランプを蛍光灯器具に装着することができる。
【００９３】
さらに、本実施の形態に係るスイッチ装置１において、操作体９は、第１端子５の突出方向と相反する方向に沿ってハウジング（外部ケース２）内への押圧操作を受け付けると共に、その突出方向を挟む相反する方向の少なくとも一方側からの押圧操作に伴って傾動動作するように構成されており、その突出方向と相反する方向に沿ったハウジング内への押圧操作又は傾動動作により、操作部の少なくとも一部が収容部２６に収容されると共に、突部９１１が収納部２７に収納され、第１端子５の少なくとも一方と第２端子６とが導通する。これにより、操作部は、第１端子５の突出方向と相反する方向への押圧操作だけでなく、第１端子５の突出方向を挟む相反する方向の少なくとも一方側からの押圧操作に伴って第１端子５と第２端子６とを導通状態に切り替えることができるので、両方の端子を同時にソケットに装着する形態の蛍光灯器具（第２種蛍光灯器具）への取付作業の作業効率を改善できる。なお、操作体９に設けられた突部９１１は、収納部２７に収納されるので、突部９１１が取付作業に影響を与えることはない。
【００９４】
特に、本実施の形態に係るスイッチ装置１においては、操作体９が、第１端子５の突出方向を挟む相反する一方側と他方側の両側からの押圧操作に伴って傾動動作することから、蛍光灯器具に対する取り付ける方向の制限をなくすことができるので、蛍光灯器具に対する直管型ＬＥＤランプの取り付け作業を簡素化することが可能となる。
【００９５】
さらに、本実施の形態に係るスイッチ装置１においては、収容部２６と収納部２７とが隣接して設けられ、操作部が、第１端子５の突出方向と相反する方向に沿ったハウジング内への押圧操作を受け付けた場合と、第１端子５の突出方向を挟む相反する方向の少なくとも一方側からの押圧操作に伴って傾動動作した場合とで、収納部２７内の異なる収納位置に突部９１１を収納すると共に、両収納位置の間に収納部２７の端部から収容部２６側に延びるリブ２７３ａ、２７３ｂを設けている。収納部２７内の異なる収納位置の間にリブ２７３ａ、２７３ｂを設けたことから、突部９１１の収納位置を定めることができるので、操作体９を安定して保持できる。また、収納部２７に設けたリブ２７３ａ、２７３ｂの端部（前端部）で操作体９の移動を規制できるので、操作体９が板状のものであっても安定して保持できる。
【００９６】
さらに、本実施の形態に係るスイッチ装置１において、収納部２７には、操作体９の突部９１１をハウジングの内側から挿通可能な開口部２７２が設けられると共に、この開口部２７２を塞ぐカバー部材１３が設けられている。操作体９の突部９１１を挿通させるための開口部２７２がハウジングの収納部２７に設けられているので、スイッチ装置１を組み立てる際の作業効率を改善できる。また、収納部２７に設けた開口部２７２がカバー部材１３によって塞ぐことができるので、ハウジング内部に異物が浸入し難くでき、信頼性を保つことができる。
【００９７】
なお、本発明は、上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【００９８】
例えば、上記実施の形態においては、操作体９が、第１端子５（口金ピン部５１）の突出方向を挟む相反する方向の両側からの押圧操作に伴って傾動動作する場合について説明している。しかしながら、操作体９の動作については、これに限定されるものではなく適宜変更が可能である。例えば、操作体９が、第１端子５の突出方向を挟む相反する方向の一方側からの押圧操作に伴って傾動動作するように構成してもよい。このように変更した場合においても、本実施の形態と同様の効果を得ることができる。
【００９９】
また、上記実施の形態においては、一対の第１端子５を備え、これらに対応して一対の第２端子６及び可動接点７を備える場合について示している。上記実施の形態によれば、例えば、一方のスイッチ装置１からの給電構造の直管型ＬＥＤランプにも対応することができる。しかしながら、スイッチ装置１が備える第２端子６及び可動接点７の数量については、上記実施の形態に限定されるものではなく適宜変更が可能である。例えば、ランプ本体の両端に設けられた双方のスイッチ装置１を用いた給電構造を有する直管型ＬＥＤランプに適用する場合には、第２可動接点６及び可動接点７をそれぞれ１つずつ備えるようにしてもよい。
【０１００】
さらに、上記実施の形態に係る操作体９においては、図１６Ａに示すように、第１被押圧部９３、第２被押圧部９４が傾斜部（第１傾斜部９３ａ、第２傾斜部９４ａ）を有する場合について説明している。しかしながら、操作体９の形状については、これに限定されるものではなく適宜変更が可能である。例えば、図１６Ｂに示す第１被押圧部９３０、第２被押圧部９４０のように曲線部で構成してもよい。また、図１６Ｃに示す第１被押圧部９３１、第２被押圧部９４１のように曲線部と直線部との組合せにより構成してもよい。また、操作体９の先端の頂部は、図１６Ａに示す頂部９１や図１６Ｃに示す頂部９１Ａのように曲率半径の小さいものに限られず、図１６Ｂに示すようななだらかな頂部９１Ｂであってもよく、円弧状でなくても構わない。
【０１０１】
さらに、上記実施の形態に係る操作体９においては、突出部９２２ａ、９２２ｂ（突出部９２３ａ、９２３ｂ）を２つずつ設ける場合について説明している。しかしながら、操作体９に設けられる突出部の数量については、これに限定されるものではなく適宜変更が可能である。例えば、連続する１つの突出部９２２（９２３）を設けるようにしてもよい。
【０１０２】
さらに、上記実施の形態においては、操作体９が板状に構成される場合について説明している。操作体９の形状については、これに限定されるものではなく適宜変更が可能である。例えば、操作体９の形状に円錐形状を採用することや、複数の段差を有する形状を採用することも可能である。
【０１０３】
さらに、上記実施の形態においては、操作体９が、一対の第１端子５の突出方向を含んだ平面と平行な平面であって、第１端子５を含む平面よりも前方側に配置された平面上に配置された場合について示している。しかしながら、操作体９の位置については、これに限定されるものではなく適宜変更が可能である。例えば、一対の第１端子５の突出方向を含んだ平面と交差する平面上に操作体９を配置してもよい。
【０１０４】
さらに、上記実施の形態においては、収容部２６が外部ケース２に設けられる場合について説明している。しかしながら、収容部２６が設けられる構成部材については、外部ケース２に限定されるものではなく適宜変更が可能である。例えば、外部ケース２とは異なる別部材に収容部２６を設けるようにしてもよい。また、スイッチ装置１のハウジングをＬＥＤランプ本体のハウジングの少なくとも一部と一体に構成したものであっても構わない。
【０１０５】
さらに、上記実施の形態においては、直管型ＬＥＤランプＬの両端にスイッチ装置１が設けられる場合について説明している。しかしながら、直管型ＬＥＤランプＬにおけるスイッチ装置１が設けられる箇所については、これに限定されるものではなく適宜変更が可能である。例えば、直管型ＬＥＤランプＬの一端側のみから給電を行う構造の蛍光灯器具に装着する場合には、直管型ＬＥＤランプＬの一端にのみスイッチ装置１を設けるようにしてもよい。なお、このように直管型ＬＥＤランプＬの一端にのみスイッチ装置１を設ける場合、直管型ＬＥＤランプＬの他端は、ダミー端子等を設けるなどして、対応するソケットに装着可能な構成とすることが好ましい。
【符号の説明】
【０１０６】
１  直管型ＬＥＤランプ用スイッチ装置（スイッチ装置）
２  外部ケース（ハウジング）
２３  開口部
２６  収容部
２６ａ、２６ｂ  内壁面（案内部）
２６ｃ  支持壁部（支持部）
２７  収納部
２７１ａ、２７１ｂ  平面部
２７２  開口部（貫通部）
２７３ａ、２７３ｂ  リブ
３  内部ケース（ハウジング）
３１  壁部
３２  筒状部
３２１  収容部
３３  円盤形状部
３４  支持壁部
４  絶縁カバー（ハウジング）
４２  挿入部
４２１ａ、４２１ｂ支持片
５  第１端子
５１、５１ａ、５１ｂ  口金ピン部
５２、５２ａ、５２ｂ  保持部
５２２ａ  折り曲げ部（第１接点部）
６、６ａ、６ｂ  第２端子
６１  前方端子部
６２  後方端子部
６２１  矩形状部（第２接点部）
７、７ａ、７ｂ  可動接点
７１  基部
７２  保持部
７３  接点部
７３１  第１可動接点部
７３２  第２可動接点部
７３２ａ  主接点部
７３２ｂ  補助接点部
８  駆動部材
８１  駆動部
８２  レバー部
８２１  軸部
８２２  被押圧部
９  操作体
９１  頂部
９１１  突部
９２  底面部
９２１  凹部
９２２ａ、９２２ｂ、９２３ａ、９２３ｂ  突出部
９３  第１被押圧部
９４  第２被押圧部
１０、１０ａ、１０ｂ  カム体
１０１  基部
１０１１  当接部
１０１２  軸部
１０１３  突出片（被押圧部）
１１  固定ねじ
１２  トーションばね（弾性部材）
１３  カバー部材（閉塞部材）
１３３  封止面部
【図１】
2012209220.tif 000003
【図２】
2012209220.tif 000004
【図３】
2012209220.tif 000005
【図４】
2012209220.tif 000006
【図５】
2012209220.tif 000007
【図６】
2012209220.tif 000008
【図７】
2012209220.tif 000009
【図８】
2012209220.tif 000010
【図９】
2012209220.tif 000011
【図１０】
2012209220.tif 000012
【図１１】
2012209220.tif 000013
【図１２】
2012209220.tif 000014
【図１３】
2012209220.tif 000015
【図１４】
2012209220.tif 000016
【図１５】
2012209220.tif 000017
【図１６】
2012209220.tif 000018